(57)【要約】【課題】  本発明は、電子楽器の音響に影響を与えるためのエフェクタをそれ自体の中に収容することができ、それによってエフェクタを水分、汚れ、および引掻き傷から保護する保護ケージに関する。【解決手段】  本発明の保護ケージは、実質的に直方体のベース部分(11)と実質的に直方体のトップ部分(12)とを有する。ベース部分(11)とトップ部分(12)とは互いに連通し合い、多数の市販のエフェクタに適合する共通の収容スペース(13)を形成する。ベース部分(11)は、ケーブルまたはプラグのような接続要素を挿通するためのコンタクト開口部(16,17)をそれぞれ有する２つの対向側壁(14,15)を備え、ベース部分(11)は、トップ部分(12)に隣接し、フットスイッチを操作するためのフットスイッチ開口部(19)を有する上壁(18)を備えている。【選択図】  図１
2019086782.tif 000002
【特許請求の範囲】
【請求項１】
電子楽器の音響に影響を与えるように構成されたエフェクタ上に載置することができる保護ケージであって、
実質的に直方体のベース部分(11)および実質的に直方体のトップ部分(12)を有しており、
前記ベース部分(11)と前記トップ部分(12)とは互いに連通し合い、多数の市販のエフェクタに適合する共通の収容スペース(13)を形成しており、
前記ベース部分(11)は、ケーブルまたはプラグのような接続要素を挿通するためのコンタクト開口部(16,17)をそれぞれ有する２つの対向側壁(14,15)を備え、
前記ベース部分(11)は、前記トップ部分(12)に隣接し、フットスイッチを操作するためのフットスイッチ開口部(19)を有する上壁(18)を備えていることを特徴とする保護ケージ。
【請求項２】
前記トップ部分(12)は、エフェクタの他の操作要素を収容して覆い隠すように構成されていることを特徴とする請求項１に記載の保護ケージ。
【請求項３】
少なくとも前記トップ部分(12)、好ましくは前記トップ部分(12)および前記ベース部分(11)は、透明材料で形成されていることを特徴とする請求項１又は２のいずれか１項に記載の保護ケージ。
【請求項４】
前記ベース部分(11)と前記トップ部分(12)とが一体的に形成されていることを特徴とする請求項１乃至３のいずれか１項に記載の保護ケージ。
【請求項５】
前記トップ部分(12)が開閉可能なカバー(22)を有することを特徴とする請求項１乃至４のいずれか１項に記載の保護ケージ。
【請求項６】
前記トップ部分(12)および／または前記ベース部分(11)は、好ましくは透明なプラスチック、特にシリコーン、熱可塑性ウレタン（ＴＰＵ）、シリコーンＴＰＵおよび／またはポリカーボネートでつくられていることを特徴とする請求項１乃至５のいずれか１項に記載の保護ケージ。
【請求項７】
前記ベース部分(11)は、前記側壁(14,15)を結び付け、かつ前記上壁(18)に結合されている前壁(23)を有することを特徴とする請求項１乃至６のいずれか１項に記載の保護ケージ。
【請求項８】
前記ベース部分(11)と前記トップ部分(12)との共通後方壁として構成される後壁(24)が設けられることを特徴とする請求項１乃至７のいずれか１項に記載の保護ケージ。
【請求項９】
前記ベース部分(11)の下側の縁部領域(26)と係止して結合可能な底板(25)が設けられることを特徴とする請求項１乃至８のいずれか１項に記載の保護ケージ。
【請求項１０】
前記フットスイッチ開口部(19)に隣接する表示窓(26)が形成されていることを特徴とする請求項１乃至９のいずれか１項に記載の保護ケージ。
【請求項１１】
前記フットスイッチ開口部(19)の補強のために、前記フットスイッチ開口部(19)に、特に前記フットスイッチ開口部(19)に隣接して、補強リング(27)が形成されていることを特徴とする請求項１乃至１０のいずれか１項に記載の保護ケージ。
【請求項１２】
電子楽器、好ましくは電子弦楽器の音響に影響を与えるように構成されたエフェクタと共に用いられるように形成され意図された保護ケージの使用方法。
【発明の詳細な説明】
【技術分野】
【０００１】
本発明は、電子楽器の音響に影響を与えるために構成されたエフェクタに載置することができる保護ケージに関する。
【背景技術】
【０００２】
音楽業界では、電子楽器の、特にたとえばエレキギターやエレキベースなどの電子弦楽器の音響に影響を与えるためのエフェクタが利用されている。このようなエフェクタは、通常、足でオンとオフを切換可能であり、上壁に多数の操作要素を保持することができる。特にライブコンサートでは、異なる曲調に対して異なる音響効果が要求されることがあり、演奏者は１本の足で異なる音響効果にすばやくオン、オフ切替えをしなければならないため、意図しないところで操作要素が足で偶然に調整変更されてしまう危険性がある。
【０００３】
これに加えてライブコンサート、特に野外のコンサートでは、エフェクタが湿気や埃に曝される危険性がある。エフェクタの操作要素を通して、湿気や埃がエフェクタハウジングの内部に侵入し、あるいは、例えばポテンショメータやスイッチ等を含んでいる操作要素の内部へ侵入する可能性がある。それにより、エフェクタや操作要素の機能性が甚大に損なわれる可能性がある。
【先行技術文献】
【特許文献】
【０００４】
【特許文献１】米国特許第９６３３６４０号公報
【特許文献２】米国特許第９６５９５５３号公報
【特許文献３】米国特許公開２００３／０００６６４１０号公報
【特許文献４】米国特許第５８６６８２９号公報
【発明の概要】
【０００５】
本発明は、このような状況を改善し、エフェクタを保護する装置を提供することを目的とする。
【０００６】
この目的は、請求項１に記載の装置および請求項１２に記載のこのような装置の使用方法によって達成される。特にこの目的は、実質的に直方体のベース部分と実質的に直方体のトップ部分とが互いに連通し合い、多数の市販のエフェクタに適合する共通の収容スペースを形成する装置によって解決され、ベース部分は、ケーブルやプラグジャックなどの接続要素を挿通するためのコンタクト開口部をそれぞれ有する２つの対向側壁を含み、ベース部分は、トップ部分に隣接し、フットスイッチを操作するためのフットスイッチ開口部を有する上壁を備えている。
【０００７】
本発明の本質的なポイントは、エフェクタを内部に収容することができ、それによってエフェクタを湿気、埃、引掻き傷、および操作要素の望ましくない調整変更からエフェクタを保護することができる、エフェクタを収容するための保護ケージが提供されることにあり、それにもかかわらず、操作要素の設定が読取可能のままに保たれるのが好ましい。
【０００８】
第１の好ましい実施形態では、トップ部分はエフェクタの他の操作要素を収容して覆うように構成されている。このことは、操作要素が意図しない調整変更から保護されるという利点がある。それと同時に、操作要素が外部の影響からも保護される。
【０００９】
少なくともトップ部分が、好ましくはベース部分も、透明材料で形成されていることが好ましい。それにより、様々な操作要素の設定を保護ケージを通して読み取ることができる。これに加えてさらに、エフェクタは、それ自体として認識可能な状態に保たれるので、それぞれの操作者は、どのエフェクタが関連する付属の保護ケージに収容されているのかがよく分かる。
【００１０】
さらに好ましい実施形態では、ベース部分とトップ部分とは一体的に形成される。その結果、特に横から作用する力に対して、より高い安定性が保証される。これに加えて製造が簡易化される。
【００１１】
他の可能な実施形態では、トップ部分は開閉可能なカバーを有している。開閉可能なカバーは、ある特定の実施形態では、そっくり取外し可能であるか、またはトップ部分の上部にヒンジ止めされている。このような開閉可能なカバーによって、エフェクタの操作要素の特別に快適な調整が達成される。
【００１２】
さらなる任意の好ましい実施形態では、トップ部分および／またはベース部分は好ましくは透明なプラスチック、特にシリコーン、熱可塑性ウレタン（ＴＰＵ）、シリコーンＴＰＵ、および／またはポリカーボネートで作られる。
【００１３】
前述の材料は携帯電話用のカバーケースとしても実証されている。本発明の保護ケージでは大幅に異なる用途および異なる他の負荷が加えられるが、驚くべきことに、これらの材料は本願明細書において提案される保護ケージに対しても好適であることが判明している。
【００１４】
好ましい実施形態では、ベース部分は前壁を有する。前壁は、それぞれの側壁を結び付け、かつ上壁と結合されている。前壁は、連続する面として形成することができ、または、特に換気のための開口部を有することができる。いずれにせよ、保護ケージの安定性は、前壁を側壁とそれぞれ結び付けて連結することによって増加し、前壁を上壁と連結することによって増加する。
【００１５】
さらに好ましい実施形態では、ベース部分とトップ部分との共通後方壁として構成される後壁が設けられる。後壁は、特に保護ケージ内の換気のために、均一に閉じられた面または開口として連続して形成することができる。一般に、後壁は保護ケージの安定性を高める。
【００１６】
さらに好ましい実施形態では、ベース部分の下側の縁部領域と係止して結合可能な底板が設けられている。この点において、保護ケージは、実質的に閉じたハウジングとして形成されてもよく、エフェクタを完全に収容し、あらゆる側からの外部の影響に対してエフェクタを保護する。
【００１７】
特定の変形例では、フットスイッチ開口部に隣接して表示窓を形成することができる。表示窓を通して、その下方に配置されている情報、特にエフェクタ、信号手段、例えばエフェクタの操作に関して情報を与える発光ダイオードなどの信号手段が、外部からそのままの状態で見えるようにすることができる。
【００１８】
さらに、フットスイッチ開口部の補強部を構成するために、ベース部分の上壁のフットスイッチ開口部に隣接するところに補強リングを形成することが好ましい。特に、上壁は、フットスイッチの開口部の領域において、ユーザーの足による操作のために高負荷に曝されるおそれがあるが、そのような高負荷荷重が補強リングによって吸収される。さらに電子楽器の、好ましくは電子弦楽器の音響に影響を与えるように形成された保護ケージが提案される。上記以外の本発明の構成要件や利点に関しても、以下の図面を参照しながら実施例の記述を用いて詳しく説明する。
【００１９】
図面は次のものを示す。
【図面の簡単な説明】
【００２０】
【図１】図１は、本発明の第１の実施形態を示す斜視図である。
【図２】図２は、図１の実施形態を示す第１の側面図である。
【図３】図３は、図１の実施形態の、図２の側面図の反対側を示す第２の側面図である。
【図４】図４は、図１の本発明の実施形態を示す平面図である。
【図５】図５は、本発明の第２の実施形態を示す斜視図である。
【図６】図６は、本発明の第３の実施形態を示す斜視図である。
【図７】図７は、本発明の第４の実施形態を示す斜視図である。
【発明を実施するための形態】
【００２１】
以下の説明において、同一の部分には同一の符号を付している。
【００２２】
図１は、本発明の第１の実施形態に係る保護ケージの斜視図である。保護ケージは、一体の保護ケージを共に形成する直方体のベース部分１１と直方体のトップ部分１２とからなるものである。直方体のベース部分１１は、直方体のトップ部分１２よりも大きい容積容量を有する。ベース部分１１とトップ部分１２との間に連続した収容スペース１３が形成されるようにするために、ベース部分１１およびトップ部分１２の両者は中空体として形成され、両者間には仕切壁がなく、内部空間は仕切られていない。
【００２３】
収容スペース１３内には例えばエレキギターやエレキベースのための各種各様の市販のエフェクタが収容され、エフェクタのハウジングが保護ケージのベース部分１１に収容され、エフェクタのハウジングから突出する操作要素を収容するためにトップ部分１２が設けられている。
【００２４】
ベース部分１１とトップ部分１２とによって形成される保護ケージは、側面側では対向配置された２つの側壁１４，１５によって画定され、後面側では後壁２４によって画定されている。前面側では、側壁１４，１５は、後壁２４に対して平行な前壁２３によって互いに結合される。トップ部分１２によって覆われていないベース部分１１の一部は、上壁１８によって上部が覆われている。
【００２５】
トップ部分１２はその上面に開口部４８を有し、それによりユーザーのために、トップ部分１２に収容される操作要素が上方から操作可能なままの状態に保たれる。しかし、操作要素を保護できるようにするために、保護ケージは、本実施形態では、上方からトップ部分１２の開口部４８へ係止することができるが、ユーザーが操作要素を操作したいときに開けることができるカバー２２を含んでいる。
【００２６】
ベース部分１１の上壁１８の内部にはフットスイッチ開口部１９がある。フットスイッチ開口部１９は、エフェクタのフットスイッチがフットスイッチ開口部１９を通って外方に向けて突出することを可能にし、そのようにしてユーザーのために引き続き操作可能な状態に保たれる。
さらに、フットスイッチ開口部１９の周りには、一方ではフットスイッチが横方向からの衝撃に対して保護されることを保証し、他方ではフットスイッチの故障のない操作が可能となる高さを有する補強リング２７が設けられている。フットスイッチと、フットスイッチに隣接するエフェクタ操作要素との間には、エフェクタがオンまたはオフのいずれの状態にあるかをユーザーに信号で伝える、例えば発光ダイオードなどの信号手段があるのが一般的である。このために、保護ケージは、補強リング２７に隣接して、信号手段を覆う表示窓２６を有している。
【００２７】
図２に、図１の実施形態に係る保護ケージの側面図を示す。側壁１４は、エフェクタの１つまたは複数の信号出力プラグジャックを接続可能に保つために、長穴として形成されたコンタクト開口部１６を有する。コンタクト開口部１６は、その箇所に多数の従来のエフェクタの信号出力プラグジャックが取り付けられているので、側壁１４の中央に配置される。さらに、図２では、補強リング２７および表示窓２６が側方から見て示されている。表示窓２６は、補強リング２７と同じ高さを有している。
【００２８】
図３に、第１の側壁１４と向かい合う第２の側壁１５の側面図を示す。側壁１５は、中央に位置が揃えられたコンタクト開口部１７を有する。コンタクト開口部１７は、第１の側壁１４に対するコンタクト開口部１６とは異なり、従来の大半のエフェクタと同様に丸穴として形成され、この箇所にエフェクタの信号入力ジャックが取り付けられるようになっている。このコンタクト開口部１６は、当然のことながら長穴として形成することもできるが、ほとんどのエフェクタではエフェクタハウジングのこの側にのみ信号入力ジャックを有しているので、側壁１５の長穴は余分なものである。したがって、エフェクタの信号入力ジャックは、コンタクト開口部１６を通してコンタクトさせることができる。
【００２９】
図４に、図１の実施形態に係る保護ケージの平面図を示す。上述したように、ベース部分１１は、その一部がトップ部分１２で上向きに部分的に覆われ、それ以外の部分ではこれに隣接する上壁１８で覆われている。トップ部分１２は上部が開口しているので、この箇所でエフェクタの可能な操作要素を内部に格納できる収容スペース１３が上方から示されている。上壁１８内には、円形状のフットスイッチ開口部１９が設けられている。
【００３０】
フットスイッチ開口部１９の周りに配置される補強リング２７は、フットスイッチ開口部１９よりも小さい直径を有する円形状の表示窓２６に連続している。
【００３１】
保護ケージの第２の実施形態が、図５に斜視図として図示されている。本実施形態では、第１の実施形態とは異なり、前壁２３と後壁２４に、保護ケージを通しての空気循環を可能にするそれぞれ３つの換気口２８，２９，３０，３１，３２，３３がある。換気口２８，２９，３０，３１，３２，３３の数および形状は変更可能である。本実施形態では、換気口は前壁および後壁に沿ってスリット状に形成されている。空気循環により、エフェクタ内にある電子部品によって発生する可能性がある熱が保護ケージから運び出され、それによりエフェクタの過熱を回避することができる。
【００３２】
図６に、第３の実施形態に係る保護ケージの斜視図を示す。第１の実施形態の保護ケージは底板を備えていなかったが、それに対して第３の実施形態では、保護ケージの下部に底板２５が設けられている。
【００３３】
底板２５の下側領域と上側領域には、それぞれ長穴として作製された穴３４，３５がある。長穴として形成される一方の穴３４の向きと他方の穴３５の向きとは互いに直交している。穴３４，３５には位相が設けられているので、例えば皿頭ねじを有する底板２５を任意のエフェクタ保持部に取り付けることができる。
【００３４】
あるいは底板２５は、これ以外の他の取付手段によって任意のエフェクタ保持部に取り付けられていてもよい。例えば、保護ケージ内部空間の反対側を向いているほうの底板２５の側に、底板をエフェクタ保持部（ペダルボード）と接続するために、接着パッドが取り付けられていてもよい。あるいは別案として、底板２５には面ファスナ帯材が取り付けられていてもよく、それによって、底板または保護ケージ全体をエフェクタ保持部に取り付けられた面ファスナテープを介してそこに取り付けることができる。最後に、ドイツ特許出願DE 10 2017 125 822号の明細書に記載されているように、例えばエフェクタ保持部（ペダルボード）の対応する凹部に係止するように係合する底板２５への取付部材など、さらに他の接続手段を用いることも考えられる。このような変形例を図７に示す。
【００３５】
保護ケージは、２つの側壁１４，１５、前壁２３および後壁２４の下縁部にそれぞれ−好ましくは中央に−配置された凹部３６，３７，３８および３９をさらに有している。また、底板２５の側部には突出部４０，４１，４２および４３が配置されている。これらの突出部４０，４１，４２，４３を凹部３６，３７，３８，３９にそれぞれ係合させ、保護ケージに対する底板２５の滑りを防止するようになっている。ベース部分１１の壁の下面には、底板２５をベース部分１１に係止し、そのようにして保護ケージを下から閉止することを可能にする係止装置がある。凹部３６，３７，３８，３９および突出部４０，４１，４２，４３によって、ユーザーが保護ケージを開閉することが容易になる。
【００３６】
ここで指摘しておくと、上述したすべての部品はそれ自体単独で、およびあらゆる組み合わせとして、特に図面に示される詳細は、本発明の要部として権利申請されることに留意すべきである。それらの改変は当業者によく知られている。
【符号の説明】
【００３７】
11…ベース部分、12…トップ部分、13…収容スペース、14,15…側壁、
16,17…コンタクト開口部、18…上壁、19…フットスイッチ開口部、20…エフェクタ、
21…フットスイッチ、22…カバー、23…前壁、24…後壁、
25…底板、26…表示窓、27…補強リング、28, 29, 30, 31, 32, 33…換気口、
34, 35…穴、
36, 37, 38, 39…凹部、
40, 41, 42, 43…突出部、44…キャリアプレート、
45,46…取付部材、47…係止面、48…開口部（トップ部分）。
【図１】
2019086782.tif 000003
【図２】
2019086782.tif 000004
【図３】
2019086782.tif 000005
【図４】
2019086782.tif 000006
【図５】
2019086782.tif 000007
【図６】
2019086782.tif 000008
【図７】
2019086782.tif 000009
【外国語明細書】
2019086782000001.pdf